(57)【要約】【課題】必要に応じて容易に洗浄部を本体から取り外すことが可能で、保守点検時の作業性を向上させること【解決手段】  食器類を収納し上方を開口した洗浄槽を有する洗浄部と、  前面に開口部が形成され、前記洗浄部を内部に収納する本体を有し、洗浄部は、開口部を通り前記本体の内部から外側に移動可能に本体に保持され、洗浄部が、本体の内部から外側に一定の距離移動すると、外側方向にその一定の移動距離以上移動できなくなる抑止機構が設けられた食器洗浄機において、抑止機構は、ストッパーと、該ストッパーに係止可能な位置とそうでない位置に移動可能な可動係止部からなり、可動係止部を、ストッパーに係止可能な位置から係止不可能な位置に移動させる操作部を有することにより、上記課題と解決することが可能である。【選択図】図１
2010207525.tif 000002
【特許請求の範囲】
【請求項１】
食器類を収納し上方を開口した洗浄槽を有する洗浄部と、
前面に開口部が形成され、前記洗浄部を内部に収納する本体を有し、
前記洗浄部は、前記開口部を通り前記本体の内部から外側に移動可能に前記本体に保持され、
前記洗浄部が、前記本体の内部から外側に一定の距離移動すると、外側方向にその一定の移動距離以上移動できなくなる抑止機構が設けられた食器洗浄機において、
前記抑止機構は、ストッパーと、該ストッパーに係止可能な位置とそうでない位置に移動可能な可動係止部からなり、
前記可動係止部を、前記ストッパーに係止可能な位置から係止不可能な位置に移動させる操作部を有することを特徴とする食器洗浄機。
【請求項２】
食器類を収納し上方を開口した洗浄槽を有する洗浄部と、
前面に開口部が形成され、前記洗浄部を内部に収納する本体を有し、
前記洗浄部は、前記開口部を通り前記本体の内部から外側に移動可能に前記本体に保持され、
前記洗浄部が、前記本体の内部から外側に一定の距離移動すると、外側方向にその一定の移動距離以上移動できなくなる抑止機構が設けられた食器洗浄機において、
前記本体に固定された第１のレールと前記洗浄部に固定された第２のレールとが滑合することで、前記洗浄部を前記開口部を通して前記本体の内部から外側に移動可能に構成するスライドレールと、  
前記抑止機構は、ストッパーと、該ストッパーに係止可能な位置とそうでない位置に移動可能な可動係止部からなり、
前記抑止機構は、前記スライドレールに設けられ、
前記可動係止部を、前記ストッパーに係止可能な位置から係止不可能な位置に移動させる操作部を有することを特徴とする食器洗浄機。
【請求項３】
前記本体の後部には、前記洗浄槽に水を供給する本体側給水管と、前記洗浄槽の水を排水する本体側排水管を備え、
前記洗浄部の後部には、前記洗浄槽の内部へ水を導く洗浄部側給水管と、前記洗浄槽内部の水を排水する洗浄部側排水管を備え、
前記本体側給水管と前記洗浄部側給水管は、着脱自在に接続され、
前記本体側排水管と前記洗浄部側給水管は、着脱自在に接続されたことを特徴とする請求項１又は２に記載の食器洗浄機。
【請求項４】
前記本体の背面に、点検用開口部を形成したことを特徴とする請求項１乃至３のいずれかに記載の食器洗浄機。
【発明の詳細な説明】
【技術分野】
【０００１】
キッチンに備え付けの本体から洗浄槽を有する洗浄部を前方に引き出し、洗浄槽内に食器類を収納して洗浄を行う食器洗浄機に関するものである。
【背景技術】
【０００２】
従来から、前面に開口が形成された箱形状の本体内部に、洗浄部に備えられた上方に開口する洗浄槽が収容される食器洗浄機がある。
この食器洗浄機は、本体の内壁に第１のレールを固定し、洗浄部の外壁に第２のレールを固定すると共に、第１のレールと第２のレールをスライド自在に組み合わせることで、本体の開口から洗浄部を前後方向に出入りできるように、本体と洗浄部が組み合わされている。
このような食器洗浄機には、組み合わされたレールが外れて、本体からの洗浄部が脱落することを防止する為、洗浄部が所定の量以上、食器洗浄機の前方に出ないように規制するストッパーが設けられている（例えば、特許文献１参照）。
【先行技術文献】
【特許文献】
【０００３】
【特許文献１】特開２００３−１５９２０５号公報
【発明の概要】
【発明が解決しようとする課題】
【０００４】
しかしながら、従来の食器洗浄機は、本体背面に位置する給水や排水の管路や食器洗浄機の内部の保守点検を行う為に、本体から洗浄部を取り外す場合、ネジ等で本体に固定されているストッパーを取り外す必要がある。
特にこのようなストッパーは、直接目視しにくい本体内部に設けられている上、洗浄部が本体に保持されている状態で、取り外し作業を行わなければならない為、作業性が大変悪い。
【０００５】
そこで本発明は、上記の問題を解決する為になされたものであり、保守点検時など必要に応じて容易に洗浄部を本体から取り外すことが可能で、保守点検時の作業性を向上させることができる食器洗浄機を提供することを目的とする。
【課題を解決するための手段】
【０００６】
食器類を収納し上方を開口した洗浄槽を有する洗浄部と、前面に開口部が形成され、前記洗浄部を内部に収納する本体を有し、洗浄部は、開口部を通り前記本体の内部から外側に移動可能に本体に保持され、洗浄部が、本体の内部から外側に一定の距離移動すると、外側方向にその一定の移動距離以上移動できなくなる抑止機構が設けられた食器洗浄機において、抑止機構は、ストッパーと、該ストッパーに係止可能な位置とそうでない位置に移動可能な可動係止部からなり、可動係止部を、ストッパーに係止可能な位置から係止不可能な位置に移動させる操作部を有することにより、上記課題と解決することが可能である。
【発明の効果】
【０００７】
以上のように各部を構成すれば、可動係止部を移動させる解除操作部を操作することにより、可動係止部とストッパーの係止状態を解除し、保守点検時など必要に応じて、容易に洗浄槽を本体から取り外すことが可能な食器洗浄機を構成することができる。
【図面の簡単な説明】
【０００８】
【図１】実施の形態１を示す食器洗浄機の構成を示す概略縦断面図
【図２】実施の形態１を示す食器洗浄機の構成を示す概略正面図
【図３】図１の食器洗浄機から洗浄部が引き出された状態を示す概略縦断面図
【図４】図３の可動係止部とストッパーの状態を示す拡大図
【図５】図１の食器洗浄機から洗浄部が引き抜かれた状態を示す概略縦断面図
【図６】実施の形態２を示す食器洗浄機の構成を示す概略縦断面図
【図７】図６の食器洗浄機の設置状態を示す概略縦断面図
【発明を実施するための形態】
【０００９】
実施の形態１
本発明の実施の形態１に係る食器洗浄機の基本構成について説明する。
図１乃至５を参照すると、食器洗浄機１は、外郭を形成する本体２と、この本体内部に収納される洗浄部３から構成されている。
本体２は箱形状であり、前面には前面開口部２ａが形成されており、内部から外側にかけて、洗浄部３に洗浄水となる水道水を給水する本体側給水管２１と、洗浄部３の洗浄水を排水する本体側排水管２２が設けられている。
【００１０】
この本体側給水管２１の本体内部側に位置する端部には、接続部２１ａが設けられ、本体外側に位置する端部は上水道管と接続される。また、この接続部２１ａの上流側には、洗浄部３に流入する水道水の流れをコントロールする為の給水弁２１ｂが設けられる。
次に、本体側排水管２２の本体内部側に位置する端部には、接続部２２ａが設けられ、本体外側に位置する端部には排水管が接続されている。
尚、本体側給水管２１及び本体側排水管２２は、後述する洗浄部３の前後の動きに追従できるように、形状が柔軟に変化できるホース等が用いられている。
【００１１】
次に、本体２の内部両側面２ｃの対向する位置に、それぞれ前後方向に長手方向を向けて第１のレール２４がネジ止め等により固定されている。
また、本体２の底部２ｂの前面開口部２ａ側近傍には、ストッパー２３がネジ止め等により固定されている。
このストッパー２３は、本体２の後部側の面２３ａが底部２ｂと略垂直であり、前側２３ｂは前面開口部２ａ側に向かって傾斜する斜面が形成されている。
【００１２】
次に、洗浄部３は、洗浄槽４と、洗浄槽４の前面に一体的に取付けられる前扉５と、洗浄槽４の外側に取付けられ、後述する各種機能部品の外側を被うカバー４０から構成されている。
この前扉５の前面には、使用者が洗浄部３を本体２から引き出すときに手をかける取っ手５ｃや、食器洗浄機１の各種操作を行う操作部６が備えられている。
【００１３】
洗浄槽４は、上方に食器を収納する為の開口部４ａが形成された箱状であり、食器洗浄中は本体２の内部に収納され、本体２から前面に引き出すことにより、開口部４ａから食器等を出し入れ可能に構成されている。
この洗浄槽４の内部４ｂには、洗浄水を噴射・循環させる回転ノズル３３と、洗浄水を加熱する為のヒーター３４と、洗浄する食器類を所定の位置に並べる食器かご３５が設けられている。  
【００１４】
次に、洗浄槽４と前扉５の間には、制御部３６と水位検知装置３７が設けられている。
この制御部３６は、操作部６からのユーザーの指示や各検知装置からの信号により、後述する洗浄ポンプ３８や排出ポンプ３９、送風部４２、ヒーター３４、給水弁２１ｂ等の制御を行う。
また、水位検知装置３７は、洗浄槽４内部の洗浄水の水位を検出し、検出情報を制御部３６に送っている。
【００１５】
次に、洗浄槽４の後部には、給水口４ｃと送風口４ｄが開口している。
給水口４ｃには、洗浄部側給水管３１が接続されている。そして、洗浄部側給水管３１の端部には、本体側給水管２１の接続部２１ａと着脱自在に接続可能な接続部３１ａが設けられている。
送風口４ｄには、食器等の被洗浄物を乾燥させる為の空気を送る送風部４２が接続されている。この送風部４２は、空気を流す為の送風機４２ａと、流れてきた空気を暖めるヒーター４２ｂを有する。
【００１６】
次に、洗浄槽４の下部には、洗浄ポンプ３８と排水ポンプ３９が設けられ、更にこの洗浄ポンプと排水ポンプを被うカバー４０が取付けられている。
この洗浄ポンプ３８は、洗浄槽内部から洗浄水を取り込み、回転ノズル３３に送り込むことにより、回転ノズル３３の回転力付与と洗浄水の循環を行っている。
また、排水ポンプ３９は、洗浄部側排水管３２と接続することで、洗浄槽内部から洗浄水を吸い上げ、食器洗浄機１の外部に洗浄水を排水する。そして、洗浄部側排水管３２の端部には、本体側排水管２２の接続部２２ｂと着脱自在に接続可能な接続部３２ａが取付けられている。
【００１７】
次に、洗浄槽４の下面４ｅと対向するカバー４０の底部４０ａの後側には、開口部４０ｂが形成されている。
この開口部４０ｂを臨む位置には、可動係止部４１が設けられている。可動係止部４１は、底部４０ａに固定される基部４１ａと、この基部４１ｂに設けられた軸４１ｃと、この軸４１ｃに回動自在に軸支された係止部４１ｂと、この係止部４１ｂを一方向に弾性支持する弾性部材からなる。この弾性部材は、例えば、ヒンジバネなどである。
係止部４１ｂは、軸４１ｃを中心に回転することにより、開口部４０ｂを出入り可能に設けられている。また、係止部４１ｂは、外力が加わらないときは、開口部４０ｂから一部が突出した状態で、弾性部材に弾性支持されている。
【００１８】
次に、カバー４０の底部４０ａの前側には、連動部４３ａによって可動係止部４１と接続された解除操作部４３が取付けられている。この解除操作部４３の解除動作が、連動部４２ａを連動させて、係止部４１ｂを弾性部材の弾性力に抗して回動させることができる。
この解除操作部４３は、例えば、カバー４０に対して前後に移動可能に設けられた操作レバーであり、この操作レバーに連動可能に取付けられた連動部４３ａが、可動係止部４１に連結する形態である。
【００１９】
また、前扉５には、解除操作部４３が臨む位置に点検用開口部５ａが形成されている。この点検用開口部５ａは、通常は蓋５ｂにより閉鎖されているが、本体２と洗浄部３を分離するときに蓋５ｂを外すことで、解除操作部４３を食器洗浄機１の前側から操作可能にする。
尚、洗浄部３の側面と重なるカバー４０の両側面には、それぞれ前後方向に向かって第２のレール４４がネジ止め等により固定されている。
【００２０】
以上のように構成された本体２と洗浄部３は、本体２の内部両側面２ｃに固定された第１のレール２４に、洗浄槽３の側面に固定された第２のレール４４が、スライド自在に組み合わされる。
この様に構成することで、本体２の前面開口部２ａから洗浄部３が前後方向に出入りできるように、本体２と洗浄部３が組み合わされている。
【００２１】
以上のように各部が構成された食器洗浄機１において、ストッパー２３と可動係止部４１の各状態の動作を、図面を用いて説明する。  
図３及び図４を参照すると、食器洗浄機１を通常使用している状態では、可動係止部４１の係止部４１ｂは、開口部４０ｂから一部が突出した状態で保持されている。つまり、洗浄部３が本体２内部を前後に移動する際も、係止部４１ｂは開口部４０ｂから突出した状態で前後に移動することになる。
【００２２】
この為、洗浄部３が本体２の開口部２ａから前側に引き出されると、係止部４１ｂも本体２の内部を前側に移動する。この時、本体２前側に、所定の量洗浄部３を引き出すと、本体２の底部２ｂに固定されているストッパー２３の後面２３ａと、係止部４１ｂが接触することになる。
これにより、洗浄部３の前方への動きが規制されることで、洗浄部３の一部が本体２の内部に保持され、本体２からの洗浄部３の脱落を防止できる。
【００２３】
次に、図５を参照すると、本体２から洗浄部３を取り外す場合、まず、前扉５の前面に形成された点検用開口部５ａを閉鎖する蓋５ｂを取り外し、本体２の前側から解除操作部４３を操作可能な状態にする。
そして、解除操作部４３を操作することにより、係止部４１ｂを回動させ開口部４０ｂから洗浄部３の内部に収納する。
【００２４】
これにより、係止部４１ｂがストッパー２３に係止しない位置となるので、洗浄部３を本体２の前方に引き出しても、係止部４１ｂとストッパー２３が接触することなく、洗浄部３の全体を本体２の内部から外部に引き出すことができる。
この時、洗浄部側給水管３１と本体側給水管２１、洗浄部側排水管３２と本体側排水管２２、及び、各種配線が、洗浄部３と本体２との間で接続部において接続されているが、洗浄部３を本体２から引き出した状態で、各接続状態を解除することにより、洗浄槽３を本体２から完全に分離することができる。
【００２５】
次に、本体２に洗浄部３を取付ける場合、洗浄部側給水管３１と本体側給水管２１、洗浄部側排水管３２と本体側排水管２２、及び、各種配線をそれぞれ接続する。そして、第１のレール２４に第２のレール４４を滑合させながら、洗浄部３を本体２の内部に挿入する。
この時、係止部４１ｂが、ストッパー２３の斜面部２３ｂに押し上げられながら後方に移動し、ストッパー２３を乗り越える。そして、係止部４１ｂは弾性部材によって、開口部４０ｂから一部が突出した状態で、ストッパー２３に接触可能に位置する。
【００２６】
以上のように各部を構成すれば、通常使用時は、可動係止部がストッパーに係止することで機能する抑止機構により、本体から洗浄部が脱落することを防止することができる。
また、可動係止部を移動させる解除操作部を操作することにより、可動係止部とストッパーの係止状態を解除することにより、保守点検時など必要に応じて、容易に洗浄槽を本体から取り外すことが可能な食器洗浄機を構成することができる。
更に、解除操作部により、可動係止部とストッパーの係止係止状態を解除可能なので、洗浄部３の移動抑止機構であるストッパー２３や可動係止部４１を取り外すことなく、食器洗浄機１の前側から、洗浄部３の移動抑止状態、つまり、抜け止めを解除することが可能となる。
【００２７】
以上、実施の形態１において、係止部が軸支された可動係止部を用いて説明したが、係止部をストッパーとの接触領域から退避することができれば、この形態に限らない。例えば、係止部４１ｂが、開口部４０ｂに対して垂直に出入り可能に連動機構４３ａを構成しても良い。
このように、係止部４１ｂを開口部４０ｂに対して垂直に出入り可能に構成すれば、開口部４０ｂの開口面積を小さくすることができる。これにより、洗浄部３の構造的な強度をより強く構成できる。
【００２８】
また、本実施の形態は、解除操作部４３の操作動作を、連動機構４３ａを通じて係止部４１ｂを動作させるものであるが、係止部４１ｂを動作させる手段として、電気的な駆動手段を用いたものでも良い。
例えば、駆動手段として、ソレノイドを用いて係止部４１ｂを動作させてもよく、また、モータの回転軸にカムを設け、カムにより係止部を動作させても良い。
【００２９】
この場合、解除操作部４３に駆動手段のスイッチを設け、このスイッチを操作することにより駆動させる。また、食器洗浄機１の制御手段３６に駆動手段を動作させる機能を組み込み、駆動させても良い。
この様に電気的な駆動手段を用いた場合、解除操作部４３を食器洗浄機１の操作部６に組み込んで構成することも可能となる。
【００３０】
更に、本実施の形態では、解除操作部４３を操作する為の点検用開口部５ａを前扉５の前面に形成しているが、この点検用開口部５ａを洗浄部３の側面や下面等に形成しても良い。
この様に構成すれば、若干洗浄部３を本体２から前方に引き出す必要はあるが、メンテナンス作業者が、食器洗浄機１の手前側から係止部４１ｂの解除操作を行えるように構成できると共に、解除操作部４３を操作する点検用開口部５ａを洗浄部３の側面や下面等の目立たない場所に位置させるので、使用者の誤操作を防ぐことが可能となる。
【００３１】
この他、本実施の形態では、本体２側にストッパー２３を設け、洗浄部３側に可動係止部４１を設けているが、本体２側に可動係止部を設け、洗浄部側にストッパーを設けても本発明は実現可能である。
また、スライドレールに洗浄槽の移動抑止機構を設けても良い。
例えば、第１のレール２４にストッパーを設け、第２のレール４４に可動係止部を設けるか、また、第１のレール２４に可動係止部を設け、第２のレール４４にストッパーを設けても本発明は実現可能である。
【００３２】
実施の形態２
以下、本発明の実施の形態２について、図６及び図７に基づき説明する。尚、実施の形態１と同一の構成については、同じ符号を付し説明を省略する。
図６及び図７を参照すると、本体２の背面２ｈの下側には、点検用開口部２ｄが形成されている。そしてこの点検用開口部２ｄは、本体２の内部から後方外側に各種管路を通す為の開口２ｆが形成された蓋２ｅで閉鎖されている。
また、この蓋２ｅは、開口２ｆに各種管路を通した状態で、ネジ等により本体２の後部壁面２ｈに着脱自在に取付けられている。この開口２ｆは、蓋２ｅに開けた穴部や一部を切欠いた切欠き部である。
【００３３】
そして、本体２は、床面等の設置部Ｓに載置された状態で、本体内部から後方外側に延出する本体側給水管２１及び本体側排水管２２が、それぞれ設置部Ｓの近傍に位置する上水道管Ｊと配水管Ｈに接続されている。
尚、この点検用開口部２ｄの大きさは、少なくともメンテナンス作業者が、点検用開口部２ｄを通して、本体側給水管２１及び本体側排水管２２の接続部の接続状態を確認することが可能で、各接続部に直接触れることが可能であり、また、工具などで各接続部を作業可能な大きさである。
【００３４】
以上のように各部を構成すると、容易に本体２から洗浄部３を取り外すことができると共に、食器洗浄機の後方に作業者が直接アクセスできる開口部を容易に開けることができる。
これにより、食器洗浄機の後方に位置する各接続部のメンテナンスの作業性を向上することが可能となる。
【００３５】
本実施の形態において、蓋２ｅに開口２ｆを形成して、この開口に各管路を通すことにより、本体２の内部から後方外側に各種管路を通している。これに加え、本体２の内壁面に、点検用開口部２ｄとは別個に開口を設け、この開口に各管路を通しても良い。
この様に構成することで、各種管路に阻害されにくい状態で、蓋２ｅを着脱することが可能となる。
【００３６】
次に、本実施の形態のように構成された食器洗浄器をキッチンに設置する際の手順を説明する。
まず、洗浄部３が外れた状態の本体２をキッチンの所定位置に設置する。そして、設置作業者は、点検用開口部２ｄを通して、本体側給水管２１及び本体側排水管２２を、それぞれ設置部Ｓの近傍に位置する上水道管Ｊと配水管Ｈに接続する。
【００３７】
次に、洗浄部側給水管３１と洗浄部側排水管３２を、それぞれ本体側給水管２１と本体側排水管２２に接続する。
そして、本体２と洗浄槽３の各種接続が完了した後、第１のレール２４に第２のレール４４を滑合させながら、洗浄部３を本体２の内部に挿入することにより、食器洗浄器の設置が完了する。
以上のように設置作業を行うことができるので、点検用開口部２ｄを通して、各種管路の接続を目視で確認して確実に行うことができる。
【符号の説明】
【００３８】
１  食器洗浄器
２  本体
３  洗浄部
４  洗浄槽
５  前扉
６  操作部
２１  本体側給水管
２２  本体側排水管
２３  ストッパー
２４  第１のレール
３１  洗浄部側給水管
３２  洗浄部側排水管
４０  カバー
４１  可動係止部
４３  解除操作部
４４  第２のレール
【図１】
2010207525.tif 000003
【図２】
2010207525.tif 000004
【図３】
2010207525.tif 000005
【図４】
2010207525.tif 000006
【図５】
2010207525.tif 000007
【図６】
2010207525.tif 000008
【図７】
2010207525.tif 000009